(57)【特許請求の範囲】
【請求項１】
撮像手段により対象物を含んで撮像される画像の、該対象物の領域を抽出して形成される対象物画像の、寸法を指定する寸法情報を取得する寸法情報取得手段と、
前記撮像手段により撮像された撮像画像における、前記対象物の領域の画質を示す撮像画質情報を取得する撮像画質情報取得手段と、
前記寸法情報と、前記撮像画質情報と、に基づいて、前記対象物の領域の、前記寸法に形成される際の解像度を取得する解像度取得手段と、
を有し、
前記対象物の領域は四角形の形状を有し、
前記解像度取得手段により取得される前記解像度は、前記対象物の領域の２本の対角線のうち、短いものの上における解像度である、
ことを特徴とする画像処理装置。
【請求項２】
請求項１に記載の画像処理装置において、
前記解像度取得手段により取得される前記解像度は、前記対象物の領域の２本の対角線の交点の位置における解像度であることを特徴とする画像処理装置。
【請求項３】
撮像手段により対象物を含んで撮像される画像の、該対象物の領域を抽出して形成される対象物画像の、寸法を指定する寸法情報を取得する寸法情報取得手段と、
前記撮像手段により撮像された撮像画像における、前記対象物の領域の画質を示す撮像画質情報を取得する撮像画質情報取得手段と、
前記寸法情報と、前記撮像画質情報と、に基づいて、前記対象物の領域の、前記寸法に形成される際の解像度を取得する解像度取得手段と、
を有し、
前記対象物の領域は四角形の形状を有し、
前記解像度取得手段により取得される前記解像度は、前記対象物の領域の４辺のうち、対向する辺に対する長さの比率が最も小さいものの上における解像度である、
ことを特徴とする画像処理装置。
【請求項４】
請求項１ないし３のいずれかに記載の画像処理装置において、
前記寸法情報は、前記対象物の実際の寸法を示す情報であることを特徴とする画像処理装置。
【請求項５】
請求項１ないし４のいずれかに記載の画像処理装置において、
前記対象物画像の、目標解像度を指定する解像度指定情報を取得する解像度指定情報取得手段と、
前記解像度指定情報に基づき特定される、前記撮像画像における前記対象物の領域の寸法を示す目標対象物領域情報を取得する目標対象物領域情報取得手段と、
前記目標対象物領域情報に基づく目標対象物領域を表示手段に表示させる目標対象物領域表示手段と、
をさらに含むことを特徴とする画像処理装置。
【請求項６】
請求項１ないし４のいずれかに記載の画像処理装置において、
前記対象物画像の、目標解像度を指定する解像度指定情報を取得する解像度指定情報取得手段と、
前記対象物画像の前記寸法に形成される場合の解像度が、前記解像度指定情報により指定される目標解像度以上か否かを判定する判定手段と、
前記判定の結果に基づく画像を表示手段に表示させる判定結果表示手段と、
をさらに含むことを特徴とする画像処理装置。
【請求項７】
請求項１ないし６のいずれかに記載の画像処理装置において、
前記撮像画像を、前記寸法情報に基づいて、該画像における前記対象物の領域の形状が、前記寸法情報に基づいた形状になるよう補正する補正手段をさらに含むことを特徴とする画像処理装置。
【請求項８】
コンピュータを、
撮像手段により対象物を含んで撮像される画像の、該対象物の領域を抽出して形成される対象物画像の、寸法を指定する寸法情報を取得する寸法情報取得手段、
前記撮像手段により撮像された撮像画像における、前記対象物の領域の画質を示す撮像画質情報を取得する撮像画質情報取得手段、および
前記寸法情報と、前記撮像画質情報と、に基づいて、前記対象物の領域の、前記寸法に形成される際の解像度を取得する解像度取得手段、
として機能させ、
前記対象物の領域は四角形の形状を有し、
前記解像度取得手段により取得される前記解像度は、前記対象物の領域の２本の対角線のうち、短いものの上における解像度である、
ことを特徴とするプログラム。
【請求項９】
コンピュータを、
撮像手段により対象物を含んで撮像される画像の、該対象物の領域を抽出して形成される対象物画像の、寸法を指定する寸法情報を取得する寸法情報取得手段、
前記撮像手段により撮像された撮像画像における、前記対象物の領域の画質を示す撮像画質情報を取得する撮像画質情報取得手段、および
前記寸法情報と、前記撮像画質情報と、に基づいて、前記対象物の領域の、前記寸法に形成される際の解像度を取得する解像度取得手段、
として機能させ、
前記対象物の領域は四角形の形状を有し、
前記解像度取得手段により取得される前記解像度は、前記対象物の領域の４辺のうち、対向する辺に対する長さの比率が最も小さいものの上における解像度である、
ことを特徴とするプログラム。
【発明の詳細な説明】
【技術分野】
【０００１】
本発明は、画像処理装置及びプログラムに関する。
【背景技術】
【０００２】
デジタルカメラやカメラ機能付きの携帯電話機等、撮像機能を備える画像処理装置では、撮像手段により取得される撮像画像の画像データに対するトリミング等の編集処理や、撮像画像をディスプレイ等の表示装置に表示させる表示処理が行われる。
【０００３】
特許文献１には、撮像素子により取得された撮像画像において人物の顔を認識し、認識結果および予め設定された印刷時の画像サイズに基づいて、印刷される人物の顔の大きさが所定範囲内か判定し、さらに判定の結果、所定範囲外であった場合には警告や自動ズームを行うデジタルカメラが開示されている。また特許文献２には、所与の画像データについて、例えばユーザーによりトリミングされた画像の画像サイズおよび解像度と、設定される印刷条件に基づく画像サイズおよび解像度と、を比較し、トリミングされた画像がユーザーの期待する印刷品質を満たすか否かを判定し、満たさない場合には警告等を行う印刷画像データ処理装置が開示されている。
【先行技術文献】
【特許文献】
【０００４】
【特許文献１】特開２００８−１９３２１８号公報
【特許文献２】特開２００６−１２８９１８号公報
【発明の概要】
【発明が解決しようとする課題】
【０００５】
本発明の目的の１つは、撮像手段により撮像される画像から生成される対象物の画像の、予め定められる寸法で形成される場合の解像度を取得する画像処理装置を提供することにある。
【課題を解決するための手段】
【０００６】
上記目的を達成するために、請求項１に記載の発明は、撮像手段により対象物を含んで撮像される画像の、該対象物の領域を抽出して形成される対象物画像の、寸法を指定する寸法情報を取得する寸法情報取得手段と、前記撮像手段により撮像された撮像画像における、前記対象物の領域の画質を示す撮像画質情報を取得する撮像画質情報取得手段と、前記寸法情報と、前記撮像画質情報と、に基づいて、前記対象物の領域の、前記寸法に形成される際の解像度を取得する解像度取得手段と、を有することを特徴とする画像処理装置である。
【０００７】
また、請求項２に記載の発明は、請求項１に記載の画像処理装置において、前記寸法情報は、前記対象物の実際の寸法を示す情報であることを特徴とする画像処理装置である。
【０００８】
また、請求項３に記載の発明は、請求項１または２に記載の画像処理装置において、前記対象物の領域は四角形の形状を有し、前記解像度取得手段により取得される前記解像度は、前記対象物の領域の２本の対角線のうち、短いものの上における解像度であることを特徴とする画像処理装置である。
【０００９】
また、請求項４に記載の発明は、請求項１または２に記載の画像処理装置において、前記対象物の領域は四角形の形状を有し、前記解像度取得手段により取得される前記解像度は、前記対象物の領域の２本の対角線の交点の位置における解像度であることを特徴とする画像処理装置である。
【００１０】
また、請求項５に記載の発明は、請求項１または２に記載の画像処理装置において、前記対象物の領域は四角形の形状を有し、前記解像度取得手段により取得される前記解像度は、前記対象物の領域の４辺のうち、対向する辺に対する長さの比率が最も小さいものの上における解像度であることを特徴とする画像処理装置である。
【００１１】
また、請求項６に記載の発明は、請求項１ないし５のいずれかに記載の画像処理装置において、前記対象物画像の、目標解像度を指定する解像度指定情報を取得する解像度指定情報取得手段と、前記解像度指定情報に基づき特定される、前記撮像画像における前記対象物の領域の寸法を示す目標対象物領域情報を取得する目標対象物領域情報取得手段と、前記目標対象物領域情報に基づく目標対象物領域を表示手段に表示させる目標対象物領域表示手段と、をさらに含むことを特徴とする画像処理装置である。
【００１２】
また、請求項７に記載の発明は、請求項１ないし５のいずれかに記載の画像処理装置において、前記対象物画像の、目標解像度を指定する解像度指定情報を取得する解像度指定情報取得手段と、前記対象物画像の前記寸法に形成される場合の解像度が、前記解像度指定情報により指定される目標解像度以上か否かを判定する判定手段と、前記判定の結果に基づく画像を表示手段に表示させる判定結果表示手段と、をさらに含むことを特徴とする画像処理装置である。
【００１３】
また、請求項８に記載の発明は、請求項１ないし７のいずれかに記載の画像処理装置において、前記撮像画像を、前記寸法情報に基づいて、該画像における前記対象物の領域の形状が、前記寸法情報に基づいた形状になるよう補正する補正手段をさらに含むことを特徴とする画像処理装置である。
【００１４】
また、請求項９に記載の発明は、コンピュータを、撮像手段により対象物を含んで撮像される画像の、該対象物の領域を抽出して形成される対象物画像の、寸法を指定する寸法情報を取得する寸法情報取得手段、前記撮像手段により撮像された撮像画像における、前記対象物の領域の画質を示す撮像画質情報を取得する撮像画質情報取得手段、および前記寸法情報と、前記撮像画質情報と、に基づいて、前記対象物の領域の、前記寸法に形成される際の解像度を取得する解像度取得手段、として機能させるためのプログラムである。
【発明の効果】
【００１５】
請求項１，９に記載の発明によれば、撮像手段により撮像される画像から生成される対象物の画像の、予め定められる寸法で形成される場合の解像度が取得される。
【００１６】
請求項２に記載の発明によれば、対象物の実際の寸法を有する対象物画像の解像度が取得される。
【００１７】
請求項３に記載の発明によれば、対象物の領域の解像度が、対角線の短いものの上における解像度を算出することで取得される。
【００１８】
請求項４に記載の発明によれば、対象物の領域の解像度が、対角線の交点の位置における解像度を算出することで取得される。
【００１９】
請求項５に記載の発明によれば、対象物の領域の解像度が、対向する辺に対する長さの比率が最も小さいものの上における解像度を算出することで取得される。
【００２０】
請求項６に記載の発明によれば、解像度指定情報に基づき特定される、撮像画像における対象物の領域の寸法が表示される。
【００２１】
請求項７に記載の発明によれば、対象物画像の、寸法情報で指定された寸法に形成される場合の解像度が、解像度指定情報により指定される目標解像度以上か否かの判定結果が表示される。
【００２２】
請求項８に記載の発明によれば、撮像画像が、該画像における対象物の領域の形状が、寸法情報に基づいた形状になるよう補正される。
【図面の簡単な説明】
【００２３】
【図１】本実施形態に係る画像処理装置の構成を示す図である。
【図２】本実施形態に係る画像処理装置において生成される画像データの例を示す図である。
【図３】タッチパネルディスプレイの表示内容の一例を示す図である。
【図４】タッチパネルディスプレイの表示内容の一例を示す図である。
【図５】本実施形態に係る画像処理装置において実行される処理を示すフローチャートである。
【図６】本実施形態に係る画像処理装置における撮像画像の取得処理を示すフローチャートである。
【図７】本実施形態に係る画像処理装置における対象物画像の取得処理を示すフローチャートである。
【発明を実施するための形態】
【００２４】
以下、本発明を実施するための好適な実施の形態（以下、実施形態という）を、図面に従って説明する。
【００２５】
図１は、本実施形態に係る画像処理装置１００の構成を示す図である。図２は、本実施形態に係る画像処理装置１００において生成される画像データの例を示す図である。画像処理装置１００は、対象物を含む撮像画像３００の撮像に先だって、撮像される撮像画像３００から対象物の領域（対象物領域３０１）を抽出して形成される対象物の画像（対象物画像３０３）の寸法および該画像の目標解像度を示す情報の入力を受けつける。そして画像処理装置１００は、その後の撮像により実際に取得される対象物画像３０３の、指定された寸法で形成される場合の解像度を取得し、さらに取得された解像度について目標解像度以上か否かの判定等の処理を行う。
【００２６】
画像処理装置１００は、制御部１１０、操作部１２０、撮像部１３０、表示部１４０、および記憶部１５０を含んで構成される。
【００２７】
制御部１１０、操作部１２０、撮像部１３０、および表示部１４０は、ＣＰＵ等であって、記憶部１５０に格納されているプログラムに従って動作する。
【００２８】
制御部１１０は、抽出画像属性取得部１１１、領域検出部１１２、歪みパラメータ算出部１１３、解像度算出部１１４、歪みベース領域算出部１１５、解像度判定部１１６、幾何補正部１１７、領域抽出部１１８、および表示情報生成部１１９を含む。これらにより実行される処理については後述する。
【００２９】
操作部１２０は、画像処理装置１００に設けられる各種キーや後述するタッチパネルディスプレイ２００に対する、画像処理装置１００のユーザーによる操作に基づく信号を生成し、制御部１１０に出力する。
【００３０】
撮像部１３０は、制御部１１０から入力される信号に基づいて、画像処理装置１００に接続されるＣＣＤカメラ等の撮像手段に撮像処理を実行させる。また、撮像部１３０は、撮像手段により対象物を含んで撮像された撮像画像３００の画像データを取得し、制御部１１０に出力する。
【００３１】
表示部１４０は、制御部１１０から入力される信号に基づく画像を、画像処理装置１００に接続される図示しないタッチパネルディスプレイ２００に表示させる。ここでタッチパネルディスプレイ２００は、画像を表示させる機能の他に、ユーザーの指等による該タッチパネルディスプレイ２００への接触に基づいて信号を生成する機能を有し、生成された信号は操作部１２０へ入力される。
【００３２】
記憶部１５０はメモリー等であって、制御部１１０により実行されるプログラムや、撮像部１３０により取得される撮像画像３００や領域抽出部１１８により抽出される対象物画像３０３のデータ、制御部１１０における処理において生成される各種データ等を記憶する。
【００３３】
制御部１１０の動作について、以下に詳細に説明する。制御部１１０は、抽出画像属性取得部１１１、領域検出部１１２、歪みパラメータ算出部１１３、解像度算出部１１４、歪みベース領域算出部１１５、解像度判定部１１６、幾何補正部１１７、領域抽出部１１８、および表示情報生成部１１９を有する。
【００３４】
抽出画像属性取得部１１１は、ユーザーの操作に基づいて操作部１２０から入力される信号から抽出画像属性情報を取得する。抽出画像属性情報とは、画像処理装置１００により取得される、対象物画像３０３の属性を示す情報であり、寸法情報と、解像度指定情報と、を含む。寸法情報とは、対象物画像３０３の寸法を指定する情報であり、例えばＡ４、Ａ３等の書類サイズのいずれかを指定する情報として取得される。本実施形態においては、対象物画像３０３の寸法は対象物の実際の寸法であり、例えばＡ４サイズのドキュメントを撮像する場合には画像の寸法としてＡ４サイズが指定され、対象物画像３０３は、ドキュメントの内容を該ドキュメントの実寸のＡ４サイズで表示する画像として取得される。解像度指定情報は、対象物画像３０３の、寸法情報で指定される寸法に形成される場合の解像度（単位長さ当たりの画素数）を指定する情報である。これらの抽出画像属性情報は、タッチパネルディスプレイ２００に表示されるメニューに対しユーザーが選択操作を行う形で入力される。図３は、タッチパネルディスプレイ２００の表示内容の一例を示す図である。ここで、ユーザーは、タッチパネルディスプレイ２００に表示される文書サイズメニュー２０１および解像度メニュー２０２のそれぞれにおいて、表示されるキーのいずれかをタッチして選択することで、寸法情報および解像度指定情報を入力する。
【００３５】
領域検出部１１２は、撮像手段により撮像された撮像画像３００において、既知の被写体認識技術により、色調や明るさが鋭敏に変化する点を検出するエッジ検出、これらをつなぐエッジ結合、結合されたエッジからの輪郭検出、および輪郭の屈曲点を頂点として検出する領域頂点検出を行い、対象物が表示される対象物領域３０１を検出する。
【００３６】
歪みパラメータ算出部１１３は、領域検出部１１２において検出された対象物領域３０１の形状に基づき、以下の各情報（歪みパラメータ）を算出する。歪みパラメータ算出部１１３は、対象物領域３０１の複数の頂点の位置情報（座標）を取得し、これらから該対象物領域３０１の対角線の長さを算出する。また、歪みパラメータ算出部１１３は、領域検出部１１２において検出された対象物領域３０１の形状を寸法情報で示される形状に変換する、変換係数を算出する。
【００３７】
変換係数について以下に説明する。撮像画像３００から検出される対象物領域３０１は、撮像手段であるＣＣＤカメラの対象物に対する角度により、実際の対象物の形状に対して歪み（射影歪み）が生じた形状を有する。実際の対象物の形状および対象物内の各点を、歪みが生じた対象物領域３０１の形状およびその内側の各点へ変換する変換係数は、３×３行列で表すことができる。なお変換係数は、変換前後の対応する４点の座標から、例えば特開２００１−１３４７５１号公報に記載されている既知の手法により取得される。
【００３８】
解像度算出部１１４は、領域検出部１１２において検出された対象物領域３０１を、抽出画像属性取得部１１１により取得される寸法情報で示される寸法で表示する際の、画像の解像度を算出する。まず解像度算出部１１４は、対象物領域３０１の画質を示す情報として、撮像画像３００の解像度を取得する。そして解像度算出部１１４は、寸法情報と、対象物領域３０１の画質を示す情報と、に基づいて、対象物領域３０１の、寸法情報で示される寸法に形成される際の解像度を取得する。具体的には、解像度算出部１１４は、取得された四角形の撮像画像３００の解像度に対し、（歪みパラメータ算出部１１３で算出された対角線（Ａとする）の長さ）／（寸法情報で示される寸法における、対角線（Ａ）に対応する対角線の長さ）を乗じることで、対象物領域３０１を、抽出画像属性取得部１１１により取得される寸法情報で示される寸法で表示する際の解像度を取得する。ここで用いられる対角線（Ａ）としては、歪みパラメータ算出部１１３で算出された複数の対角線のうち、最も短いものを使用する。これにより、対角線のうち最も短いものの上における解像度が取得される。これは後述する歪み補正処理の結果解像度がより低くなる位置における解像度であり、当該解像度を解像度指定情報で指定される解像度（指定解像度）以上とすることで、歪み補正処理の結果得られる対象物画像３０３の解像度は、その全ての領域において指定解像度以上となる。
【００３９】
歪みベース領域算出部１１５は、歪みパラメータ算出部１１３において生成される変換係数を用いて、歪みベース領域３０４を示す情報を生成し、表示情報生成部１１９に出力する。歪みベース領域３０４とは、解像度指定情報により指定された指定解像度の画像を取得できるような、最小の対象物の領域（目標対象物領域）である。歪みベース領域３０４は、寸法情報で示される形状を（解像度指定情報により指定される指定解像度／撮像画像３００の解像度）倍に拡大または縮小し、さらに変換係数により変換することで取得される。歪みベース領域３０４は、後述する表示情報生成部１１９により、撮像画像３００に重ねて表示される。図４はタッチパネルディスプレイ２００の表示内容の一例を示す図である。歪みベース領域３０４は、対象物領域３０１の大きさが歪みベース領域３０４の大きさ以上である場合（すなわち、指定解像度以上の解像度の対象物画像が取得できる場合）には青の枠で、対象物領域３０１の大きさが歪みベース領域３０４より小さい場合（すなわち、指定解像度以上の解像度の対象物画像が取得できない場合）には赤の枠で表示されることで、指定された解像度の対象物画像が取得可能か否かをユーザーに通知する。表示処理については後述する。
【００４０】
解像度判定部１１６は、解像度算出部１１４において算出された解像度が、解像度指定情報により指定される指定解像度以上か否か判定し、判定結果を表示情報生成部１１９に出力する。
【００４１】
幾何補正部１１７は、撮像部１３０において取得された撮像画像３００に対し、歪み補正処理を行う。ここで歪み補正処理とは、射影歪みにより対象物が実際の形状（例えば長方形）とは異なる形状（例えば台形）に撮像された撮像画像３００に対し、該撮像画像３００における対象物の形状が実際の形状に基づく形状になるよう、撮像画像３００の形状および表示内容を補正する処理であり、撮像画像３００を、歪みパラメータ算出部１１３において算出された変換係数の逆ベクトルで変換することにより実行される。図２に示される撮像画像３００に対して歪み補正処理が実行され、撮像画像３０２が生成される。なお、図２において対象物領域３０１は対象物よりも大きな領域となっているが、これは対象物領域３０１を示す破線の視認性を高めるためのものであり、実際には対象物領域３０１を規定する線は、対象物の外形線上にある。
【００４２】
領域抽出部１１８は、幾何補正部１１７により補正された撮像画像３０２から対象物領域３０１の画像データを抽出して、寸法情報に指定される寸法に形成して対象物画像３０３を生成し、生成された対象物画像３０３のデータを表示情報生成部１１９に出力する。対象物画像３０３の一例を、図２に示す。
【００４３】
表示情報生成部１１９は、表示部１４０によってタッチパネルディスプレイ２００に表示される表示情報を生成する。表示情報には、撮像手段により撮像された撮像画像３００、幾何補正部１１７により補正された撮像画像３０２、領域抽出部１１８により生成された対象物画像３０３、ユーザーが操作を行うメニュー画面、さらにユーザーに対し、前述の解像度指定情報により指定された解像度の画像を取得するための指示情報の一部もしくは全てを表示する。
【００４４】
指示情報について以下に説明する。指示情報は、図４に示されるタッチパネルディスプレイ２００に表示される画面の一例において表示されている。図４の例では指示情報として前述の歪みベース領域３０４が表示されている。ユーザーは、撮像手段（ＣＣＤカメラ）を移動させて、撮像画像３００を該撮像画像３００における対象物領域３０１がこの歪みベース領域３０４より大きく表示されるように撮像することで、解像度指定情報により指定した指定解像度の画像を取得できる。
【００４５】
ここで、歪みベース領域３０４は、その対角線の交点が、対象物領域３０１の対角線の交点と一致するように表示される。
【００４６】
指示情報としては、この歪みベース領域３０４の他に、解像度判定部１１６から入力される判定結果に基づき、解像度が解像度指定情報により指定された解像度以上か否かを示すメッセージ、解像度が解像度指定情報により指定された解像度を満たさなかった場合に、ＣＣＤカメラを対象物に近づけることを促すメッセージ等を表示してもよい。
【００４７】
次に、画像処理装置１００において実行される処理を、フローチャートを用いて説明する。図５は、本実施形態に係る画像処理装置１００において実行される処理を示すフローチャートである。
【００４８】
まず、画像処理装置１００は、撮像画像３００の取得処理を実行する（Ｓ５０１）。次に画像処理装置１００は、Ｓ５０１において取得された撮像画像３００の保存の要否を選択する操作を要求する画像をタッチパネルディスプレイ２００に表示し（Ｓ５０２）、保存が必要との操作が行われれば、表示されている撮像画像３００の画像データが記憶部１５０に保存される（Ｓ５０３）。
【００４９】
Ｓ５０３における保存処理後、およびＳ５０２において保存しない旨の操作がなされた場合、画像処理装置１００は、対象物画像３０３の取得処理の実行の要否を選択する操作を要求する画像をタッチパネルディスプレイ２００に表示する（Ｓ５０４）。そして該処理の実行が必要との操作が行われれば、画像処理装置１００は、対象物画像３０３の取得処理を実行する（Ｓ５０５）。一方、該処理が不要との操作が行われれば処理は後述するＳ５０８へ進む。Ｓ５０５において対象物画像３０３が取得されると、画像処理装置１００は、取得された対象物画像３０３の保存の要否を選択する操作を要求する画像をタッチパネルディスプレイ２００に表示し（Ｓ５０６）、保存が必要との操作が行われれば、表示されている対象物画像３０３の画像データが記憶部１５０に保存される（Ｓ５０７）。
【００５０】
そして画像処理装置１００は、撮像画像３００の再取得を行うかを選択する操作を要求し（Ｓ５０８）、再取得の実行が選択されれば処理はＳ５０１に進み、再取得が不要との選択が行われれば、画像処理装置１００における処理は終了する。
【００５１】
次に、図５のＳ５０１において実行される、撮像画像３００の取得処理をフローチャートを用いて説明する。図６は、本実施形態に係る画像処理装置１００において実行される撮像画像３００の取得処理を示すフローチャートである。
【００５２】
まず、画像処理装置１００の抽出画像属性取得部１１１は、例えば図３に示すようにタッチパネルディスプレイ２００にメニュー画面を表示し、該表示に対するユーザーの操作から抽出画像属性情報（寸法情報、解像度指定情報）を取得する（Ｓ６０１）。
【００５３】
次に、ユーザーの操作に基づいて撮像部１３０において撮像画像３００が取得され、取得された撮像画像３００はタッチパネルディスプレイ２００に随時表示される（Ｓ６０２）。
【００５４】
次に、領域検出部１１２は、Ｓ６０２において撮像された撮像画像３００において対象物領域３０１を検出する（Ｓ６０３）。
【００５５】
歪みパラメータ算出部１１３は、Ｓ６０３において検出された対象物領域３０１の歪みパラメータを算出し、解像度算出部１１４は、この歪みパラメータに基づいて、対象物領域３０１の解像度（対象物領域３０１の画質）、および対象物領域３０１の、寸法情報に指定される寸法に形成される際の解像度を算出（取得）する（Ｓ６０４）。
【００５６】
解像度判定部１１６は、Ｓ６０４において算出された解像度が、Ｓ６０１において入力された抽出画像属性情報の解像度指定情報により指定される解像度以上か否か判定する（Ｓ６０５）。
【００５７】
歪みベース領域算出部１１５は、Ｓ６０１において入力された抽出画像属性情報の寸法情報およびＳ６０３で検出された対象物領域３０１を用いて、解像度指定情報に基づいて特定される撮像画像３００における対象物領域３０１の大きさを示す歪みベース領域３０４を示す情報を生成し（Ｓ６０６）、表示情報生成部１１９に出力する。
【００５８】
表示情報生成部１１９は、Ｓ６０２において撮像された撮像画像３００と、Ｓ６０６において生成された情報に基づく歪みベース領域３０４と、を重ね合わせて、図４に示されるような形式でタッチパネルディスプレイ２００に表示させる（Ｓ６０７）。Ｓ６０２〜Ｓ６０７の処理は定期的に、例えば０．５秒置きに実行され、表示内容は随時更新される。
【００５９】
ユーザーは、Ｓ６０７において表示された情報を参照し、Ｓ６０２において撮像された撮像画像３００を取得すると判断すれば取得操作（カメラのシャッターの押下に相当）を行う（Ｓ６０８）。
【００６０】
Ｓ６０８において取得操作が行われると撮像画像３００が取得され、取得された撮像画像３００がタッチパネルディスプレイ２００に表示される（Ｓ６０９）。以上で、撮像画像３００の取得処理は終了する。
【００６１】
次に、図５のＳ５０５において実行される、対象物画像３０３の取得処理を説明する。図７は、本実施形態に係る画像処理装置１００における対象物画像３０３の取得処理を示すフローチャートである。
【００６２】
この取得処理の開始時においては、図６のＳ６０９における撮像画像３００の表示が維持されている。そして幾何補正部１１７は、表示されている撮像画像３００に対して歪み補正処理を行う（Ｓ７０１）。さらに、領域抽出部１１８は、Ｓ７０１において補正された撮像画像３０２に対し領域抽出処理および寸法情報で示される寸法に形成する形成処理を実行し、対象物画像３０３を生成する（Ｓ７０２）。そして生成された対象物画像３０３を示す画像データは表示情報生成部１１９に出力され、対象物画像３０３がタッチパネルディスプレイ２００に表示される（Ｓ７０３）。以上で対象物画像３０３の取得処理は終了する。
【００６３】
以上の構成により、撮像手段により撮像される画像から生成される対象物の画像の、予め定められる寸法で形成される場合の解像度が取得される。
【００６４】
なお、上記実施形態では、対象物領域３０１の解像度として対角線の最も短いものの位置における解像度が算出される構成が示されたが、本発明はこれに限定されず、例えば対角線の交点の位置における解像度が算出される構成としてもよいし、対象物領域３０１が四角形である場合において、その４辺のうち、対向する辺に対する長さの比率が最も小さいものの上における解像度が算出される構成としてもよい。
【００６５】
また、上記実施形態では歪みベース領域３０４が、その対角線の交点が対象物領域３０１の対角線の交点と一致するように表示される構成が示されたが、本発明はこれに限定されず、歪みベース領域３０４と対象物領域３０１とが少なくとも一部が重複するよう、例えば１頂点が重なるように表示されてもよいし、歪みベース領域３０４が対象物領域３０１の横に表示されてもよい。
【００６６】
また、上記実施形態では指示情報として歪みベース領域３０４や、解像度判定部１１６における判定結果に基づく歪みベース領域３０４の色変化が示される構成が示されたが、本発明はこれに限定されず、例えば解像度判定部１１６における判定結果に基づき「カメラをもっと近づけて下さい」「撮像条件を再度設定して下さい」等のメッセージを音声で出力する構成としてもよい。
【００６７】
また、上記実施形態では撮像画像３００の取得処理における歪みベース領域３０４の生成、および歪み補正処理における対象物画像３０３の取得が自動的に行われる構成が示されたが、本発明はこれに限定されず、それぞれの処理の要否がユーザーにより選択される構成としてもよい。
【００６８】
また、上記実施形態では表示手段と操作手段とを兼ねるタッチパネルディスプレイ２００が設けられる構成が示されたが本発明はこれに限定されず、液晶ディスプレイ等の表示手段と、キーボード、操作キー等の操作手段と、がそれぞれ設けられる構成としてもよい。
【００６９】
また、上記実施形態では寸法情報として対象物の実際の寸法が指定される構成が示されたが本発明はこれに限定されず、例えば寸法情報としてＡ４サイズを指定したうえでホワイトボードやポスター等の掲示物を撮影し、対象物がＡ４サイズに縮小された対象物画像３０３が生成されるような構成としてもよい。
【００７０】
なお、画像処理装置１００は携帯電話機、デジタルカメラ等の撮像機能を備える情報処理装置の一機能として構成され、情報処理装置のメモリーである記憶部に記憶されるプログラムを動作させることで実現される。このプログラムは、通信によって提供されてもよいし、コンピュータによる読み取りが可能な、ＣＤ−ＲＯＭ等の記憶媒体に格納されて提供されてもよい。
【符号の説明】
【００７１】
１００  画像処理装置、１１０  制御部、１１１  抽出画像属性取得部、１１２  領域検出部、１１３  歪みパラメータ算出部、１１４  解像度算出部、１１５  歪みベース領域算出部、１１６  解像度判定部、１１７  幾何補正部、１１８  領域抽出部、１１９  表示情報生成部、１２０  操作部、１３０  撮像部、１４０  表示部、１５０  記憶部、２００  タッチパネルディスプレイ、２０１  文書サイズメニュー、２０２  解像度メニュー、３００  撮像画像、３０１  対象物領域、３０２  撮像画像、３０３  対象物画像、３０４  歪みベース領域。
【図１】
0005644461.tif 000002
【図２】
0005644461.tif 000003
【図３】
0005644461.tif 000004
【図４】
0005644461.tif 000005
【図５】
0005644461.tif 000006
【図６】
0005644461.tif 000007
【図７】
0005644461.tif 000008